(57)【要約】  全自動グラビア製版処理システムにおける処理ユニットでの製版処理の際に気化されてミスト状となった処理液を、凝縮せしめて処理液として再利用できるようにした凝縮器付処理ユニット及びそれを用いた全自動グラビア製版処理システムを提供する。  被製版ロールに対して一連の処理を行い製版ロールとする全自動グラビア製版処理システムに用いられる凝縮器付処理ユニットであり、処理槽と、前記処理槽内にグラビアシリンダを保持するためのチャック手段と、前記処理槽の一部に設けられた吸気のための吸気口と、前記処理槽の一部に設けられた排気のための排気口と、前記処理槽と前記排気口との間に設けられた凝縮器と、前記排気のうち、前記凝縮器によって液化された処理液を前記処理槽に戻すための処理液戻し管と、を含むようにした。
2013084929.tif 000002
【特許請求の範囲】
【請求項１】
被製版ロールに対して一連の処理を行い製版ロールとする全自動グラビア製版処理システムに用いられる凝縮器付処理ユニットであり、
処理槽と、
前記処理槽内にグラビアシリンダを保持するためのチャック手段と、
前記処理槽の一部に設けられた吸気のための吸気口と、
前記処理槽の一部に設けられた排気のための排気口と、
前記処理槽と前記排気口との間に設けられた凝縮器と、
前記排気のうち、前記凝縮器によって液化された処理液を前記処理槽に戻すための処理液戻し管と、を含むことを特徴とする凝縮器付処理ユニット。
【請求項２】
前記凝縮器が、空冷式凝縮器であることを特徴とする請求項１記載の凝縮器付処理ユニット。
【請求項３】
前記凝縮器付処理ユニットが、銅メッキ装置、クロムメッキ装置、腐食装置、から選ばれる少なくとも１つの処理装置であることを特徴とする請求項１又は２記載の凝縮器付処理ユニット。
【請求項４】
請求項１〜３いずれか１項記載の凝縮器付処理ユニットを組み入れたことを特徴とする全自動グラビア製版処理システム。
【発明の詳細な説明】
【技術分野】
【０００１】
本発明は、被製版ロールに対して一連の処理を行い製版ロールとする全自動グラビア製版処理システムに用いられる凝縮器付処理ユニット及びそれを用いた全自動グラビア製版処理システムに関する。
【背景技術】
【０００２】
従来、全自動グラビア製版用処理システムとして、例えば特許文献１〜３に開示されたものが知られている。【０００３】
そして、本願出願人は、グラビア製版ロールの製造を従来よりも迅速に行うことが出来、省スペース化をはかることが出来、また夜間であっても無人操業が可能であり、さらに、製造ラインをフレキシブルにカスタマイズすることができ、顧客の様々なニーズに応えることができる自由度の高い全自動グラビア製版用処理システムを提案している（特許文献４）。【０００４】
上記した全自動グラビア製版用処理システムは、被製版ロールに対して一連の処理を行い製版ロールとするもので、各処理にあたっては、処理ユニットで処理が行われる。【０００５】
従来の処理ユニットのより具体的な例としては、例えば特許文献５に記載の銅メッキ処理装置がある。【０００６】
上記した銅メッキ処理装置では、メッキ処理の際に気化されてミスト状となった処理液はそのまま排気され、フィルター等で濾過された後、外部へと排気されていた。クロムメッキ装置や腐食装置も同様に、処理の際に気化されてミスト状となった処理液はそのまま排気され、フィルター等で濾過された後、外部へと排気されていた。このため、各処理ユニットにおける製版処理の度に処理液が減少し、気化した分の処理液を、製版処理後に追加するなどして対応していた。【０００７】
また、特許文献５に記載の硫酸銅メッキ装置などの場合には、特に蒸気が発生しやすく、ミストスクラバーなどの排気洗浄装置を取り付けても、途中で詰まってしまうという問題もあった。
【先行技術文献】
【特許文献】
【０００８】
【特許文献１】特開平１０−１９３５５１号公報
【特許文献２】ＷＯ２００７／１３５８９８号公報
【特許文献３】ＷＯ２００７／１３５８９９号公報
【特許文献４】ＷＯ２０１１／１２５９２６
【特許文献５】特開２００５−２９８７６
【発明の概要】
【発明が解決しようとする課題】
【０００９】
本発明は、上記した従来技術の問題点に鑑みなされたもので、全自動グラビア製版処理システムにおける処理ユニットでの製版処理の際に、気化されてミスト状となった処理液を、凝縮せしめて処理液として再利用できるようにした凝縮器付処理ユニット及びそれを用いた全自動グラビア製版処理システムを提供することを目的とする。
【課題を解決するための手段】
【００１０】
上記課題を解決するため、本発明の凝縮器付処理ユニットは、被製版ロールに対して一連の処理を行い製版ロールとする全自動グラビア製版処理システムに用いられる凝縮器付処理ユニットであり、処理槽と、前記処理槽内にグラビアシリンダを保持するためのチャック手段と、前記処理槽の一部に設けられた吸気のための吸気口と、前記処理槽の一部に設けられた排気のための排気口と、前記処理槽と前記排気口との間に設けられた凝縮器と、前記排気のうち、前記凝縮器によって液化された処理液を前記処理槽に戻すための処理液戻し管と、を含むことを特徴とする。【００１１】
また、前記凝縮器は、空冷式凝縮器であることが好ましい。省スペース化が図れるからである。空冷式凝縮器としては、多数の邪魔板を配置したプレートであるミストコレクタなどが挙げられる。このようなミストコレクタをつかえば、気化されたミスト状の処理液を効率的に捕集し、液化させることができるからである。【００１２】
前記凝縮器付処理ユニットとしては、製版処理の際に処理液を使用し、かつ処理液が気化されてミスト状となって排気されるタイプの処理ユニットであればいずれの処理ユニットにも適用可能である。前記凝縮器付処理ユニットとしては、特に、銅メッキ装置、クロムメッキ装置、腐食装置、から選ばれる少なくとも１つの処理装置であるのが好適である。【００１３】
本発明の全自動グラビア製版処理システムは、上記した本発明の凝縮器付処理ユニットを組み入れたことを特徴とする。
【発明の効果】
【００１４】
本発明によれば、全自動グラビア製版処理システムにおける処理ユニットでの製版処理の際に、気化されてミスト状となった処理液を、凝縮せしめて処理液として再利用できるようにした凝縮器付処理ユニット及びそれを用いた全自動グラビア製版処理システムを提供することができるという著大な効果を奏する。【００１５】
これにより、本発明の凝縮器付処理ユニットを用いれば、全自動グラビア製版処理システムにおける処理ユニットでの製版処理の際に気化されてミスト状となった処理液を、凝縮せしめて処理液として再利用できるので、処理液の減少が抑制されることで製版処理コストの削減につながるのみならず、排気される気体の総量が減るため、フィルター等の排気洗浄装置への負担も減少し、周辺への環境問題の改善にも役立つという利点がある。
【図面の簡単な説明】
【００１６】
【図１】本発明の凝縮器付処理ユニットの一つの実施の形態を上からみた状態を示す平面図である。
【図２】図１の凝縮器付処理ユニットの左側面図である。
【発明を実施するための形態】
【００１７】
以下に本発明の実施の形態を説明するが、これら実施の形態は例示的に示されるもので、本発明の技術思想から逸脱しない限り種々の変形が可能なことはいうまでもない。また、同一の部材は同一の符号で示される。
【００１８】
図において、符号１０は本発明の凝縮器付処理ユニットを示す。
【００１９】
凝縮器付処理ユニット１０は、被製版ロールに対して一連の処理を行い製版ロールとする全自動グラビア製版処理システムに用いられる凝縮器付処理ユニットであり、処理槽１２と、前記処理槽１２内にグラビアシリンダ１４を保持するためのチャック手段１６ａ，１６ｂと、前記処理槽１２の一部に設けられた吸気のための吸気口１８と、前記処理槽１２の一部に設けられた排気のための排気口２０と、前記処理槽１２と前記排気口２０との間に設けられた凝縮器２２と、前記排気のうち、前記凝縮器２２によって液化された処理液を前記処理槽１２に戻すための処理液戻し管２４と、を含む構成とされている。
【００２０】
また、図示した凝縮器２２は、空冷式凝縮器であり、空冷式凝縮器としては、多数の邪魔板２６を配置したプレート（硬質塩化ビニル製）であるミストコレクタを凝縮器２２として使用した例を示した。すなわち、処理ユニット１０で、グラビアシリンダ１４に対して製版処理（銅メッキ装置では銅メッキ処理）が行われる際に、気化されてミスト状となった処理液が、凝縮器２２を通過する際に、邪魔板２６に衝突・付着して捕集されると共に、凝縮されて再び液体となる。
【００２１】
このようにして液体となった処理液は、処理液戻し管２４を通って再び処理槽１２へと戻され、再利用される。また、前記排気のうち、凝縮されて再び液体とならなかった気体については、排気口２０から排気される。
【００２２】
図示した凝縮器付処理ユニット１０では、凝縮器２２としてのミストコレクタの例として、住友ベークライト株式会社のサンロイドエリミネータを使用した例を示した。このようなミストコレクタをつかえば、気化されたミスト状の処理液を効率的に捕集し、液化させることができる。
【００２３】
図示例では、前記凝縮器付処理ユニット１０としては、銅メッキ装置の例を示した。図示例以外にも、製版処理の際に処理液を使用し、かつ処理液が気化されてミスト状となって排気されるタイプの処理ユニットであればいずれの処理ユニットにも適用可能である。本発明の凝縮器付処理ユニットは、特に、銅メッキ装置、クロムメッキ装置又は腐食装置などに好適に用いられる。
【００２４】
また、図において、符号２８は、電極などの処理ユニット１０の構成部品を支持するフレーム部材であり、符号３０は、処理ユニット１０の筐体を示す。これら処理ユニット１０の凝縮器２２を除いた基本的構成については、例えば、特許文献４などに記載の処理ユニットと同様のものを採用することができる。
【００２５】
そして、本発明の凝縮器付処理ユニット１０を、例えば、特許文献１〜４の全自動グラビア製版処理システムに組み込むことで、本発明の全自動グラビア製版処理システムとなる。このうち、特に特許文献４に開示された全自動グラビア製版処理システムに本発明の凝縮器付処理ユニットを組み入れるのが好適である。特許文献４に記載の全自動グラビア製版用処理システムは、グラビア製版ロールの製造を従来よりも迅速に行うことが出来、省スペース化をはかることが出来、また夜間であっても無人操業が可能であり、さらに、製造ラインをフレキシブルにカスタマイズすることができ、顧客の様々なニーズに応えることができる自由度の高い全自動グラビア製版用処理システムだからである。
【００２６】
このように、本発明の凝縮器付処理ユニットを用いれば、全自動グラビア製版処理システムにおける処理ユニットでの製版処理の際に、気化されてミスト状となった処理液を、凝縮せしめて処理液として再利用できるので、処理液の減少が抑制されることで製版処理コストの削減につながるのみならず、排気される気体の総量が減るため、排気洗浄装置への負担も減少し、周辺への環境問題の改善にも役立つという利点がある。
【符号の説明】
【００２７】
１０：凝縮器付処理ユニット、１２：処理槽、１４：グラビアシリンダ、１６ａ，１６ｂ：チャック手段、１８：吸気口、２０：排気口、２２：凝縮器、２４：処理液戻し管、２６：邪魔板、２８：フレーム部材、３０：筐体。
【図１】
2013084929.tif 000003
【図２】
2013084929.tif 000004
【国際調査報告】
2013084929.tif 000005
2013084929.tif 000006
2013084929.tif 000007
2013084929.tif 000008